(57)【要約】【課題】投影レンズから投影される画像の投影角度が変化する場合にも、冷却効率を高めることができるとともに、画像の乱れ（ゆらぎ）を防止することが可能なプロジェクタを提供する。【解決手段】回転させることにより投影レンズ１６の拡大率を調整することが可能なズームリング１７と、投影レンズ１６の投影方向と交差する方向に所定の間隔を隔てて回動可能に支持された排気方向を決定する複数の羽根３０を含むとともに、プロジェクタ１の内部の投影方向側に設けられたルーバ２７と、ズームリング１７とルーバ２７の複数の羽根３０とを連結する連結部材２８とを備え、ズームリング１７が回転されることによって、投影レンズ１６の投影方向と交差する方向に連結部材２８が駆動されて、投影レンズ１６の投影角度よりも、投影レンズ１６の投影方向に対する排気される空気の排気方向の角度が大きくなるように、複数の羽根３０が回動される。【選択図】図３
2006337510.tif 000002
【特許請求の範囲】
【請求項１】
投影レンズと、前記投影レンズを保持するとともに、回転させることにより投影レンズの拡大率を調整することが可能なズームリングと、内部から外部に空気を排気するルーバとを備えたプロジェクタにおいて、
前記ルーバは、前記投影レンズの投影方向と交差する方向に所定の間隔を隔てて回動可能に支持された排気方向を決定する複数の羽根を含むとともに、前記プロジェクタの内部の投影方向側に設けられており、
前記ズームリングの外周部には、ピニオンの歯が形成され、
前記ズームリングと前記ルーバの複数の羽根とを連結するとともに、前記ピニオンの歯と噛み合うラック部を含む連結部材と、
前記ルーバを支持する支持部材とをさらに備え、
前記ルーバの羽根の上下端部には、前記支持部材に回動可能に支持される軸部が形成されているとともに、前記ルーバの羽根は、前記軸部を中心に回動され、
前記ズームリングが回転されることによって、前記投影レンズの投影方向と交差する方向に前記連結部材が駆動されて前記ルーバの複数の羽根が回動され、
前記投影レンズの投影角度よりも、前記投影レンズの投影方向に対する前記ルーバの羽根により排気される空気の排気方向の角度が大きくなるように、前記ズームリングの回転に伴って前記複数の羽根が回動される、プロジェクタ。
【請求項２】
投影レンズと、
前記投影レンズを保持するとともに、回転させることにより投影レンズの拡大率を調整することが可能なズームリングと、
前記投影レンズの投影方向と交差する方向に所定の間隔を隔てて回動可能に支持された排気方向を決定するための複数の羽根を含むルーバと、
前記ズームリングと前記ルーバの複数の羽根とを連結する連結部材とを備え、
前記ズームリングが回転されることによって、前記投影レンズの投影方向と交差する方向に前記連結部材が駆動されて前記ルーバの複数の羽根が回動される、プロジェクタ。
【請求項３】
前記投影レンズの投影角度よりも、前記投影レンズの投影方向に対する前記ルーバの羽根により排気される空気の排気方向の角度が大きくなるように、前記ズームリングの回転に伴って前記複数の羽根が回動される、請求項２に記載のプロジェクタ。
【請求項４】
前記ズームリングの外周部には、ピニオンの歯が形成され、
前記連結部材には、前記ピニオンの歯と噛み合うラック部が形成されている、請求項２または３に記載のプロジェクタ。
【請求項５】
前記ルーバは、前記プロジェクタの内部の投影方向側に配置されており、
前記ルーバを支持する支持部材をさらに備え、
前記ルーバの羽根の上下端部には、支持部材に回動可能に支持される軸部が形成され、
前記羽根は、前記軸部を中心に回動される、請求項２〜４のいずれか１項に記載のプロジェクタ。
【発明の詳細な説明】
【技術分野】
【０００１】
この発明は、プロジェクタに関し、特に、ルーバを有するプロジェクタに関する。
【背景技術】
【０００２】
プロジェクタは、光源ランプからの光によって画像を形成し、画像を拡大してスクリーンなどに投影している。そして、輝度を保つためには、光源ランプを一定の温度（たとえば、７００℃）に保たなければならない。一方で、プロジェクタ内には、電子機器など、高温に弱い部品も数多く設けられている。したがって、プロジェクタには、高温に弱い部品を守るために、様々な冷却機構が設けられるとともに、その冷却機構によってプロジェクタ内の部品を冷却した空気を排気するためのルーバを有する排気口が設けられている（たとえば、特許文献１〜３参照）。
【０００３】
たとえば、特許文献１には、水平方向に回動可能な羽根を有するルーバを備え、冷却された空気の排気方向を自由に変えることができるプロジェクタが開示されている。また、特許文献２には、自動で駆動されるルーバが設けられたプロジェクタが開示されている。この特許文献２のプロジェクタのルーバは、温度センサによる検出情報と、障害物センサによる検出情報とに基づいて自動的に駆動される。また、特許文献３には、排気方向に並べて、排気方向が異なる２つのルーバが配置されたプロジェクタが開示されている。この特許文献３のプロジェクタにおいては、２つのルーバの排気角度を異ならせることによって、ルーバを通って外部に漏れる光源からの光を抑制することができる。
【０００４】
しかしながら、上記特許文献１〜３では、プロジェクタから排気される高温の空気が、投影レンズから投影される画像に対応する光の光路上に進入することによって、スクリーンに投影される画像が乱れるという不都合が生じていた。
【０００５】
そこで、従来、投影方向と異なる方向に向けられた冷却ファンを備えたプロジェクタが提案されている（たとえば、特許文献４および５参照）。上記特許文献４で提案されたプロジェクタでは、投影レンズの投影方向に対して冷却ファンの送風方向を斜めに設定することによって、冷却ファンにより送られた風が、投影レンズによって投影される画像の光路上に進入することを防止している。これにより、プロジェクタから排気される空気に起因する画像の乱れ（ゆらぎ）を防止することが可能である。
【０００６】
また、上記特許文献５には、前面部分にルーバが設けられたプロジェクタが開示されている。この特許文献５のプロジェクタでは、投影レンズからの距離によってルーバの羽根と投影レンズの投影方向との角度が設定されている。すなわち、投影レンズの近い位置に配置されているルーバの羽根の向きは、投影方向との角度が大きく設定されるとともに、投影レンズから遠い位置に配置されているルーバの羽根の向きは、投影方向との角度が小さくなるように設定されている。これにより、投影レンズの近い位置に配置されているルーバを通って排気される空気は、投影方向に対して大きな角度で排気されるとともに、投影レンズから遠い位置に配置されているルーバを通って排気される空気は、投影方向に対して小さい角度で排気されるので、いずれのルーバから排気される風も投影レンズによって投影される画像の光路上に進入することはない。この結果、冷却ファンによって送られる風に起因する画像の乱れ（ゆらぎ）を防止することが可能である。
【特許文献１】実公昭６０−１５６４８８号公報
【特許文献２】特開平１０−９０７９４号公報
【特許文献３】特開２００４−２７２０９５号公報
【特許文献４】特開２００４−２５２２２３号公報
【特許文献５】特開２００５−３１７０６号公報
【発明の開示】
【発明が解決しようとする課題】
【０００７】
ここで、通常のプロジェクタは、投影レンズのズームリングを調整して、投影レンズの拡大率を調整するので、その拡大率によって、投影レンズから出射される光の広がる角度が異なる。しかしながら、上記特許文献４および特許文献５のプロジェクタでは、投影レンズから投影される光の広がる角度に関係なく、空気の排気方向が固定されている。このため、拡大率を小さく設定して投影レンズの投影角度が小さくなっているにも関わらず、投影方向に対する排気方向の角度を小さくすることができないので、排気効率を高めることが困難であるという不都合がある。この結果、投影レンズの拡大率が小さい場合にも、冷却効率を高めることが困難であるという問題点がある。また、空気の排気方向が固定されているため、拡大率を大きく設定して投影レンズの投影角度を大きくした場合には、排気される空気が確実に投影される光の光路上に進入する場合があるという不都合が生じる。この結果、投影レンズの拡大率を大きく設定した場合に、画像が乱れる（ゆらぐ）場合があるという問題点がある。
【０００８】
この発明は、上記のような課題を解決するためになされたものであり、この発明の１つの目的は、投影レンズから投影される画像の投影角度が変化する場合にも、冷却効率を高めることができるとともに、画像の乱れ（ゆらぎ）を防止することが可能なプロジェクタを提供することである。
【課題を解決するための手段】
【０００９】
この発明の第１の局面によるプロジェクタは、投影レンズと、投影レンズを保持するとともに、回転させることにより投影レンズの拡大率を調整することが可能なズームリングと、内部から外部に空気を排気するルーバとを備えたプロジェクタにおいて、ルーバは、投影レンズの投影方向と交差する方向に所定の間隔を隔てて回動可能に支持された排気方向を決定する複数の羽根を含むとともに、プロジェクタの内部の投影方向側に設けられており、ズームリングの外周部には、ピニオンの歯が形成され、ズームリングとルーバの複数の羽根とを連結するとともに、ピニオンの歯と噛み合うラック部を含む連結部材と、ルーバを支持する支持部材とをさらに備え、ルーバの羽根の上下端部には、支持部材に回動可能に支持される軸部が形成されているとともに、ルーバの羽根は、軸部を中心に回動され、ズームリングが回転されることによって、投影レンズの投影方向と交差する方向に連結部材が駆動されてルーバの複数の羽根が回動され、投影レンズの投影角度よりも、投影レンズの投影方向に対するルーバの羽根により排気される空気の排気方向の角度が大きくなるように、ズームリングの回転に伴って複数の羽根が回動される。なお、投影角度とは、投影方向に対する光が広がる角度のことである。
【００１０】
この発明の第１の局面によるプロジェクタでは、上記のように、投影レンズの拡大率を調整することが可能なズームリングと排気方向を決定するルーバの複数の羽根とを連結する連結部材を設けることによって、拡大率を調整するために投影レンズが回転されると、連結部材が投影方向と交わる方向に駆動されて、排気方向を決定するルーバの複数の羽根が回動されるので、拡大率の調整に伴う投影レンズの投影角度の変化に連動させてルーバの複数の羽根により決定される排気方向を設定することができる。これにより、ズームリングを回転させて投影レンズの投影角度を小さくした場合に、ルーバの複数の羽根を連動させて、投影レンズの投影方向に対する排気方向の角度を小さく設定することができる。この結果、ルーバの羽根により方向が決定されて排気される空気の排気効率を向上させることができるので、冷却効率を向上させることができる。また、ズームリングを回転させて投影レンズの投影角度を大きくした場合に、ルーバの複数の羽根を連動させて、投影レ
ンズの投影方向に対する排気方向の角度を大きく設定することができる。この結果、投影レンズから投影される光の光路上に排気された空気の進入を防止することができるので、画像の揺らぎを防止することができる。また、投影レンズの投影角度よりも、投影レンズの投影方向に対するルーバの羽根により排気される空気の排気方向の角度を大きくすることによって、排気される空気が、投影レンズから投影される光の光路上に侵入するのを、確実に、防止することができる。また、ズームリングの外周部にピニオンの歯を形成し、連結部材にピニオンの歯と噛み合うラック部を形成することによって、ズームリングの外周部に形成されたピニオンの歯によって、ズームリングの回転駆動が、ピニオンの歯に噛み合わされたラック部を介して連結部材に伝達されて、連結部材が投影方向と交わる方向に駆動される。そして、連結部材からルーバの羽根に、駆動力が伝達されて、ルーバの複数の羽根がズームリングの回転駆動に連動されて回動される。この結果、容易に、ズームリングの回転駆動とルーバの複数の羽根の回動駆動とを連動させることができる。また、ルーバを支持する支持部材をさらに設け、支持部材に回動可能に支持される軸部をルーバの羽根の上下端部に形成することによって、容易に、支持部材によりルーバの羽根を回動可能に支持することができる。
【００１１】
この発明の第２の局面によるプロジェクタは、投影レンズと、投影レンズを保持するとともに、回転させることにより投影レンズの拡大率を調整することが可能なズームリングと、投影レンズの投影方向と交差する方向に所定の間隔を隔てて回動可能に支持された排気方向を決定するための複数の羽根を含むルーバと、ズームリングとルーバの複数の羽根とを連結する連結部材とを備え、ズームリングが回転されることによって、投影レンズの投影方向と交差する方向に連結部材が駆動されてルーバの複数の羽根が回動される。
【００１２】
この発明の第２の局面によるプロジェクタでは、上記のように、投影レンズの拡大率を調整することが可能なズームリングと排気方向を決定するルーバの複数の羽根とを連結する連結部材を設けることによって、拡大率を調整するために投影レンズが回転されると、連結部材が投影方向と交わる方向に駆動されて、排気方向を決定するルーバの複数の羽根が回動されるので、拡大率の調整に伴う投影レンズの投影角度の変化に連動させてルーバの複数の羽根により決定される排気方向を設定することができる。これにより、ズームリングを回転させて投影レンズの投影角度を小さくした場合に、ルーバの複数の羽根を連動させて、投影レンズの投影方向に対する排気方向の角度を小さく設定することができる。この結果、ルーバの羽根により方向が決定されて排気される空気の排気効率を向上させることができるので、冷却効率を向上させることができる。また、ズームリングを回転させて投影レンズの投影角度を大きくした場合に、ルーバの複数の羽根を連動させて、投影レンズの投影方向に対する排気方向の角度を大きく設定することができる。この結果、投影レンズから投影される光の光路上に排気された空気の進入を防止することができるので、画像の揺らぎを防止することができる。
【００１３】
上記第２の局面によるプロジェクにおいて、好ましくは、投影レンズの投影角度よりも、投影レンズの投影方向に対するルーバの羽根により排気される空気の排気方向の角度が大きくなるように、ズームリングの回転に伴って複数の羽根が回動される。このように、投影レンズの投影角度よりも、投影レンズの投影方向に対するルーバの羽根により排気される空気の排気方向の角度を大きくすることによって、排気される空気が、投影レンズから投影される光の光路上に侵入するのを、確実に、防止することができる。
【００１４】
上記第２の局面によるプロジェクにおいて、好ましくは、ズームリングの外周部には、ピニオンの歯が形成され、連結部材には、ピニオンの歯と噛み合うラック部が形成されている。このように構成すれば、ズームリングの外周部に形成されたピニオンの歯によって、ズームリングの回転駆動が、ピニオンの歯に噛み合わされたラック部を介して連結部材に伝達されて、連結部材が投影方向と交わる方向に駆動される。そして、連結部材からル
ーバの羽根に、駆動力が伝達されて、ルーバの複数の羽根がズームリングの回転駆動に連動されて回動される。この結果、確実に、ズームリングの回転駆動とルーバの複数の羽根の回動駆動とを連動させることができる。
【００１５】
上記第２の局面によるプロジェクにおいて、好ましくは、ルーバは、プロジェクタの内部の投影方向側に配置されており、ルーバを支持する支持部材をさらに備え、ルーバの羽根の上下端部には、支持部材に回動可能に支持される軸部が形成され、羽根は、軸部を中心に回動される。このように、ルーバの羽根の上下端部に形成された軸部と、この軸部を回動可能に支持する支持部材とを設けることによって、容易に、支持部材によりルーバの羽根を回動可能に支持することができる。
【発明を実施するための最良の形態】
【００１６】
以下、本発明の実施形態を図面に基づいて説明する。
【００１７】
図１は、本発明の一実施形態によるプロジェクタの全体構成を示した斜視図である。図２は、本発明の一実施形態によるプロジェクタの内部平面図である。図３は、ルーバ、支持部材および前部フレームの分解斜視図である。図４は、ルーバと連結部材の斜視図である。図５は、ルーバを支持する支持部材の斜視図である。図６は、連結部材の斜視図である。図７は、ルーバの羽根の側面図である。図８は、ズームリングと連結部材とルーバとの関係を示す背面図である。図１〜図８を参照して、本発明の一実施形態によるプロジェクタ１の構造について説明する。
【００１８】
本実施形態によるプロジェクタ１のフレームは、図１に示すように、前部フレーム２、後部フレーム３、上部フレーム４および下部フレーム５を含んでいる。前部フレーム２の一方の端部側（矢印Ａ方向）の部分には、画像を投影するための投影レンズ１６が挿入されるレンズ挿入部２ａが、上面および投影方向が開口された状態で形成されている。また、前部フレーム２の中央部の上部には、リモコンからの信号を受信する受信装置（図示せず）が装着される受信部２ｂが形成されている。また、図２に示すように、下部フレーム５の一方（矢印Ａ方向）の側の側面には、メインスイッチ７が設けられている。
【００１９】
また、図２に示すように、プロジェクタ１の投影機構は、光源ランプ１０と、ライトパイプ１１と、レンズ保持部材１２と、ミラー１３と、レンズ１４と、ＤＭＤ（Ｄｉｇｉｔａｌ  Ｍｉｃｒｏｍｉｒｒｏｒ  Ｄｅｖｉｃｅ）素子１５と、投影レンズ１６と、ズームリング１７とを備えている。また、プロジェクタ１の内部の後部には、プロジェクタ１の制御全般を行うメイン基板１８が設置されている。
【００２０】
光源ランプ１０は、光源としてのガラス製のバルブ１０ａと、バルブ１０ａが発する光を反射して集光するためのリフレクタ１０ｂとを備えている。この光源ランプ１０は、箱型形状のランプケース２０の内部に装着されている。このランプケース２０の前面部分には、ＬＣＰ樹脂（液晶ポリエステル樹脂：耐熱温度約３４０℃〜約３５０℃）により形成されるとともに、前面部分を除く部分は、ＰＰＳ樹脂（ポリフェニレンサルファイド樹脂：耐熱温度約２４０℃）により形成されている。
【００２１】
また、ライトパイプ１１は、図２に示すように、光源ランプ１０とレンズ保持部材１２との間で、かつ、光源ランプ１０から発せられる光の光路上に、ライトパイプクリップ２１によって固定されて配置されている。このライトパイプ１１は、入射口１１ａから入射した光源ランプ１０からの光を矩形状に成形するとともに、均一化して出射口１１ｂから出射する機能を有する。また、レンズ保持部材１２は、ライトパイプ１１を挟んで光源ランプ１０と対向するように配置されている。このレンズ保持部材１２によって、ＤＭＤ素子１５上に結像させるための複数のレンズからなるレンズ群（図示せず）が保持されてい
る。また、ミラー１３は、図２に示すように、レンズ保持部材１２によって保持されるレンズ群を透過した光をレンズ１４へと反射する機能を有する。レンズ１４は、ミラー１３によって反射されたＤＭＤ素子１５へと集光する機能を有する。ＤＭＤ素子１５は、レンズ１４を透過した光を投影レンズ１６に供給する機能を有する。このＤＭＤ素子１５は、表面に多数の反射部を有するとともに、それらの多数の反射部を画像信号に応じて変位させ、反射光の有無によって画像を形成する。ＤＭＤ素子１５には、ＤＭＤ素子１５を制御するプリント基板２２が取り付けられている。また、プリント基板２２には、ＤＭＤ素子１５の熱を放熱するためのヒートシンク部材２３が取り付けられている。また、投影レンズ１６は、ズームリング１７によって保持されるとともに、このズームリング１７の操作部１７ａをユーザが回転させることによって投影レンズ１６の拡大率が調整される。
【００２２】
また、本実施形態では、図２に示すように、プロジェクタ１の冷却機構は、送風ファン２５と、送風ファン２５よりも小さい送風ファン２６と、ルーバ２７とによって構成されている。また、前部フレーム２には、図１および図２に示すように、プロジェクタ１の各部を冷却した空気を排気するための排気口２ｃが形成されている。また、下部フレーム５の矢印Ａ方向の側面には、図２に示すように、冷却するための空気を吸気するための吸気口５ａが形成されている。
【００２３】
送風ファン２５は、図２に示すように、光源ランプ１０を冷却するために、光源ランプ１０に隣接した位置に配置されている。この送風ファン２５は、光源ランプ１０が位置する矢印Ｃ方向に風を送る機能を有し、その光源ランプ１０に送られた風は、光源ランプ１０を冷却した後、ルーバ２７を介して前部フレーム２の排気口２ｃから排気される。また、送風ファン２６は、ライトパイプ１１を冷却するために設けられている。この送風ファン２６は、送風ファン２５の矢印Ａ方向に隣接するように、かつ、ライトパイプ１１の延びる方向と平行になるように配置されている。送風ファン２６は、ライトパイプ１１が位置する矢印Ｄ方向に風を送る機能を有し、そのライトパイプ１１に送られた風は、ライトパイプ１１を冷却した後、ルーバ２７を介して前部フレーム２の排気口２ｃから排気される。
【００２４】
ここで、本実施形態では、図３に示すように、ルーバ２７とズームリング１７とが連結部材２８により連結されることによって、ルーバ２７は、ズームリング１７の回転と連動して排気方向を変化させるように構成されている。具体的には、図８に示すように、投影レンズ１６の拡大率の調整のために回転されるズームリング１７の後部には、ピニオン部１７ｂが形成されている。このピニオン部１７ｂの外周部の下部には、後述する連結部材２８のラック部２８ａに噛み合わされる複数の歯１７ｃが形成されている。また、図２および図４に示すように、ルーバ２７は、投影方向Ｇと直交する方向に所定の間隔を隔てて配置され、排気方向Ｈを決定するための複数の羽根３０を有する。各羽根３０の排気方向Ｈ側の端部には、円柱形状の軸部３０ａが一体的に形成されている。その軸部３０ａの上下端部には、支持部材２９の凹部２９ａに係合される突出部３０ｂが形成されている。また、軸部３０ａとは反対側の各羽根３０の端部の中央部には、図７に示すように、矩形状の凹部３０ｃが形成され、その凹部３０ｃ内には、後述する連結部材２８の係合凹部２８ｂに係合する円柱形状の係合軸部３０ｄが形成されている。なお、複数の羽根３０のうち、ズームリング１７側に配置される２枚の羽根３０は、前部フレーム２の受信部２ｂとの干渉を避けるために高さが低くなるように形成されている。また、図５に示すように、支持部材２９は、各羽根３０の高さに対応した形状に形成されている。また、支持部材２９の内面部には、軸部３０ａの上下端部の突出部３０ｂに対応する位置に凹部２９ａが形成されている。そして、各羽根３０の突出部３０ｂが、支持部材２９の凹部２９ａに係合されることによって、各羽根３０が回動可能に支持部材２９に支持される。
【００２５】
また、本実施形態では、図２〜図４および図６に示すように、ズームリング１７とルー
バ２７の複数の羽根３０とを連結する連結部材２８が、前部フレーム２と平行になるように配置されている。連結部材２８は、図６に示すように、板状のクランク形状に形成されている。連結部材２８のズームリング１７側（矢印Ａ方向）の部分には、ズームリング１７のピニオン部１７ｂの歯１７ｃが噛み合わされるラック部２８ａが形成されている。また、連結部材２８のルーバ２７側（矢印Ｂ方向）の部分には、羽根３０の数と同数の係合凹部２８ｂが形成されている。この係合凹部２８ｂには、上述のルーバ２７の各羽根３０の係合軸部３０ｄが係合される。したがって、拡大率の調整のためにズームリング１７がユーザにより回転されると、連結部材２８は水平方向に移動されてルーバ２７の複数の羽根３０に水平方向の力が伝達されるので、各羽根３０が軸部３０ａを回動軸として回動される。
【００２６】
次に、図２を参照して、本実施形態によるプロジェクタ１の動作について説明する。まず、光源ランプ１０のバルブ１０ａからの光が光源ランプ１０のリフレクタ１０ｂによって集光される。この後、集光された光がライトパイプ１１の入射口１１ａから入射し、光が矩形状に成形された後、ライトパイプ１１の出射口１１ｂから出射される。次に、矢印Ｅ方向へ進行してレンズ群を透過した光は、ミラー１３に反射される。そして、ミラー１３に反射された光は、矢印Ｆ方向に進行し、レンズ１４を透過した後、ＤＭＤ素子１５に入射する。これにより、ＤＭＤ素子１５によって形成された画像に対応する光が矢印Ｇ方向に進行する。そして、画像に対応する光は、ユーザがズームリング１７を回転することにより拡大率が調整された投影レンズ１６によって拡大されてスクリーンに投影される。
【００２７】
上記のようにプロジェクタ１が動作する際には、図２に示した、送風ファン２５および送風ファン２６が回転されることによって、下部フレーム５の吸気口５ａから空気が取り込まれる。そして、取り込まれた空気の一部は、送風ファン２５および送風ファン２６により、矢印Ｃ方向および矢印Ｄ方向に送られる。これにより、光源ランプ１０およびライトパイプ１１が冷却される。そして、光源ランプ１０およびライトパイプ１１を冷却した空気は、ルーバ２７を介して、前部フレーム２の排気口２ｃから排気される。
【００２８】
図９および図１０は、投影レンズの投影角度とルーバの複数の羽根による排気方向との関係を示す図である。次に、図８〜図１０を参照して、ズームリング１７とルーバ２７との連動動作について説明する。本実施形態では、図８に示すように、ズームリング１７とルーバ２７の複数の羽根３０とが連結部材２８によって連結されて、ズームリング１７とルーバ２７の複数の羽根３０が連動するように構成されているため、ズームリング１７の拡大率によって排気口２ｃから排気される空気の排気方向Ｈが決定される。たとえば、図９に示すように、拡大率が小さくなるように（投影角度α）、ズームリング１７がユーザにより矢印Ｊ方向（図８参照）に回転されると、ズームリング１７の回転駆動がピニオン部１７ｂおよび連結部材２８のラック部２８ａを介して、連結部材２８に伝達される。これにより、連結部材２８は矢印Ｂ方向に水平移動（直線移動）される。この水平移動が、連結部材２８の係合凹部２８ｂおよびルーバ２７の各羽根３０の係合軸部３０ｄを介して、各羽根３０に伝達されるので、ルーバ２７の各羽根３０は軸部３０ａを回動軸として矢印Ｌ方向に回動される。これにより、図９に示すように、投影方向Ｇに対する排気方向Ｈの角度がβ（β＞α）の状態になる。すなわち、拡大率が小さくなるように、ズームリング１７がユーザにより回転されて投影角度が小さくされると、排気される空気が投影レンズ１６から投影される光の光路上に入らないように、投影レンズ１６の投影角度α（たとえば、１５°）が、投影方向Ｇに対するルーバ２７の複数の羽根３０により排気される空気の排気方向Ｈの角度β（たとえば、２０°）よりも小さい状態を維持しながら、ルーバ２７の複数の羽根３０によって、空気の排気方向Ｈの角度βが小さく設定されて排気効率が高められる。
【００２９】
また、ユーザが、図９の状態から、図１０に示すように、投影される画像の拡大率を大
きくするために（投影角度γ）、ズームリング１７を矢印Ｋ方向（図８参照）に回転させると、ズームリング１７の回転駆動がピニオン部１７ｂおよび連結部材２８のラック部２８ａを介して、連結部材２８に伝達される。そして、連結部材２８は、矢印Ａ方向に水平移動（直線移動）されるので、この水平移動が連結部材２８の係合凹部２８ｂおよびルーバ２７の各羽根３０の係合軸部３０ｄを介して、各羽根３０に伝達される。これにより、ルーバ２７の各羽根３０は軸部３０ａを回動軸として、矢印Ｍ方向に回動される。すなわち、拡大率が大きくなるように、ズームリング１７がユーザにより回転されて投影角度が大きくされても、排気される空気が投影レンズ１６から投影される光の光路上に入らないように、投影レンズ１６の投影角度γ（たとえば、３０°）が、投影方向Ｇに対するルーバ２７の各羽根３０により排気される空気の排気方向Ｈの角度δ（たとえば、３５°）よりも小さい状態が維持される。
【００３０】
本実施形態では、上記のように、投影レンズ１６の拡大率を調整することが可能なズームリング１７と排気方向Ｈを決定するルーバ２７の羽根３０とを連結する連結部材２８を設けることによって、拡大率を調整するために投影レンズ１６が回転されると、連結部材２８が投影方向Ｇと直交する方向（矢印Ａ方向および矢印Ｂ方向）に駆動されて、排気方向Ｈを決定するルーバ２７の複数の羽根３０が回動されるので、拡大率の調整に伴う投影レンズ１６の投影角度αの変化に連動させてルーバ２７の複数の羽根３０により決定される排気方向Ｈを設定することができる。これにより、ズームリング１７を回転させて拡大率を小さくして投影レンズ１６の投影角度αを小さくすると、ルーバ２７の複数の羽根３０が連動されて、投影レンズ１６の投影角度αよりも空気の排気方向の角度βを大きくした状態を維持しつつ、投影レンズ１６の投影方向Ｇに対する排気方向の角度βが小さく設定される。この結果、ルーバ２７の羽根３０により方向が決定されて排気される空気の排気効率を向上させることができるので、冷却効率を向上させることができる。
【００３１】
また、ズームリング１７を回転させて拡大率を大きくして投影レンズ１６の投影角度γを大きくすると、ルーバ２７の複数の羽根３０が連動されて、投影レンズ１６の投影角度γよりも空気の排気方向の角度δを大きくした状態を維持しつつ、投影レンズ１６の投影方向Ｇに対する排気方向Ｈの角度δが大きく設定される。この結果、拡大率を大きく設定して、投影角度γが大きくなった場合にも、投影レンズ１６から投影される光の光路上に排気された空気が進入することを、確実に、防止することができるので、画像の揺らぎを防止することができる。
【００３２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３３】
たとえば、上記実施形態では、支持部材２９をプロジェクタ１のフレームとは別の部品として構成する例を示したが、本発明はこれに限らず、支持部材と前部フレームとを一体化して、各羽根を前部フレームに取り付けるように構成してもよい。
【００３４】
また、上記実施形態では、投影角度よりも排気方向の角度を５°大きく設定する例を示したが、排気方向の角度は、投影角度よりも大きいか、等しければよい。また、ルーバの全ての羽根の排気方向の角度を一定にする必要はなく、投影レンズに近い羽根の排気方向の角度を投影レンズから遠い羽根の排気方向の角度よりも大きく設定してもよい。
【００３５】
また、上記実施形態では、ズームリング１７と連結部材２８とをピニオンとラックとにより連結する例を示したが、ズームリングと連結部材とを連結する機構は、ピニオンとラックとに限定されるものではなく、駆動力を伝達できる機構であればよい。
【図面の簡単な説明】
【００３６】
【図１】本発明の一実施形態によるプロジェクタの全体構成を示した斜視図である。
【図２】本発明の一実施形態によるプロジェクタの内部平面図である。
【図３】本発明の一実施形態によるルーバ、支持部材および前部フレームの分解斜視図である。
【図４】本発明の一実施形態によるルーバと連結部材の斜視図である。
【図５】本発明の一実施形態によるルーバを支持する支持部材の斜視図である。
【図６】本発明の一実施形態による連結部材の斜視図である。
【図７】本発明の一実施形態によるルーバの羽根の側面図である。
【図８】本発明の一実施形態によるズームリングと連結部材とルーバとの関係を示す背面図である。
【図９】本発明の一実施形態による投影角度と排気方向との関係を示す図である。
【図１０】本発明の一実施形態による投影角度と排気方向との関係を示す図である。
【符号の説明】
【００３７】
１     プロジェクタ
１６   投影レンズ
１７   ズームリング
１７ｂ ピニオン部
１７ｃ 歯
２５   送風ファン
２６   送風ファン
２７   ルーバ
２８   連結部材
２８ａ ラック部
２９   支持部材
３０   羽根
３０ａ 軸部
【図１】
2006337510.tif 000003
【図２】
2006337510.tif 000004
【図３】
2006337510.tif 000005
【図４】
2006337510.tif 000006
【図５】
2006337510.tif 000007
【図６】
2006337510.tif 000008
【図７】
2006337510.tif 000009
【図８】
2006337510.tif 000010
【図９】
2006337510.tif 000011
【図１０】
2006337510.tif 000012